(57)【要約】【課題】  簡単に撮像装置に所定の動作を実行させることができるようにする。【解決手段】  デジタルカメラ１０の姿勢が姿勢Ｘとは異なった場合に、一定時間内に元の姿勢Ｘに戻っているかどうかをチェックし、一定時間内に元の姿勢Ｘに戻っていると判定した場合、つまり、デジタルカメラ１０が振られた場合、表示する再生画像を変更する。これにより、ボタンを操作しなくても、デジタルカメラ１０を振るだけで、再生画像の表示を送ることが可能となる。【選択図】  図５
2006087049.tif 000002
【特許請求の範囲】
【請求項１】
画像を撮影する撮影手段と、
画像を再生して表示する再生手段と、
姿勢を検知する姿勢検知手段と、
前記姿勢検知手段により所定の姿勢変化パターンが検知された場合に、予め設定された所定の動作を実行する制御手段とを備えたことを特徴とする撮像装置。
【請求項２】
前記所定の姿勢変化パターンとは、第１の姿勢から当該第１の姿勢とは異なる第２の姿勢になったことを検知した後、一定時間内に元の第１の姿勢に戻るものであることを特徴とする請求項１に記載の撮像装置。
【請求項３】
前記所定の動作とは、表示する再生画像の変更、表示色の変更、撮影パラメータの変更、再生画像のプリント指定枚数の増減、表示画像の消去、表示画像の拡大表示/縮小表示の切り替え、表示画像のシングル表示/インデクス表示の切り替え、電源ＯＮ/ＯＦＦの切り替え、撮影モード/再生モードの切り替えのいずれかあることを特徴とする請求項１又は２に記載の撮像装置。
【請求項４】
姿勢変化パターンを検知すると同時に、その姿勢変化の方向を検知し、検知した方向によって異なった姿勢変化パターンであると判定することを特徴とする請求項１〜３のいずれか１項に記載の撮像装置。
【請求項５】
画像を撮影する撮影手段と、画像を再生して表示する再生手段と、姿勢を検知する姿勢検知手段とを備えた撮像装置の制御方法であって、
前記姿勢検知手段により所定の姿勢変化パターンが検知された場合に、前記撮像装置が予め設定された所定の動作を実行する手順を有することを特徴とする撮像装置の制御方法。
【請求項６】
画像を撮影する撮影手段と、画像を再生して表示する再生手段と、姿勢を検知する姿勢検知手段とを備えた撮像装置に用いられるコンピュータプログラムであって、
前記姿勢検知手段により所定の姿勢変化パターンが検知された場合に、前記撮像装置に予め設定された所定の動作を実行させることを特徴とするコンピュータプログラム。
【発明の詳細な説明】
【技術分野】
【０００１】
本発明は、撮影した画像をデジタル化してメモリカード等の記憶媒体に記録する撮像装置、撮像装置の制御方法及びコンピュータプログラムに関する。
【背景技術】
【０００２】
従来のデジタルカメラには、メニューボタン、十字ボタン、ＳＥＴボタン等を用いて目的の機能を操作するものがある（例えば、特許文献１）。目的の機能には、メモリカードに保存されている撮影画像を液晶表示器に何コマずつ表示するかを選択する機能、液晶表示器に表示されている撮影画像を次の又は前の撮影画像に変更する機能等がある。
【０００３】
【特許文献１】特開２００３−５１９７７号公報
【発明の開示】
【発明が解決しようとする課題】
【０００４】
しかしながら、暗い場所のように目的のボタンを見つけることが困難な状況や目的のボタンを操作しずらい状況下では、誤操作をしてしまうおそれがあった。
【０００５】
本発明は上記のような点に鑑みてなされたものであり、目的のボタンを見つけることが困難な状況や目的のボタンを操作しずらい状況下でも、簡単に撮像装置に所定の動作を実行させることができる撮像装置、制御方法及びコンピュータプログラムを提供することを目的とする。
【課題を解決するための手段】
【０００６】
本発明の撮像装置は、画像を撮影する撮影手段と、画像を再生して表示する再生手段と、姿勢を検知する姿勢検知手段と、前記姿勢検知手段により所定の姿勢変化パターンが検知された場合に、予め設定された所定の動作を実行する制御手段とを備えた点に特徴を有する。
本発明の撮像装置の制御方法は、画像を撮影する撮影手段と、画像を再生して表示する再生手段と、姿勢を検知する姿勢検知手段とを備えた撮像装置の制御方法であって、前記姿勢検知手段により所定の姿勢変化パターンが検知された場合に、前記撮像装置が予め設定された所定の動作を実行する手順を有する点に特徴を有する。
本発明のコンピュータプログラムは、画像を撮影する撮影手段と、画像を再生して表示する再生手段と、姿勢を検知する姿勢検知手段とを備えた撮像装置に用いられるコンピュータプログラムであって、前記姿勢検知手段により所定の姿勢変化パターンが検知された場合に、前記撮像装置に予め設定された所定の動作を実行させる点に特徴を有する。
【発明の効果】
【０００７】
本発明によれば、目的のボタン、スイッチ等を見つけることが困難な状況や目的のボタン、スイッチ等を操作しずらい状況下でも、撮像装置を所定の姿勢変化パターン、例えば撮像装置を振るように姿勢変化させることで、撮像装置に所定の動作を実行させることができる。
【発明を実施するための最良の形態】
【０００８】
以下、添付図面を参照して本発明の実施形態を説明する。
（第１の実施形態）
図１は、デジタルカメラ１０の構成の一例を示す図である。なお、本発明の第１の実施形態は、デジタルカメラに限るものではなく、デジタルビデオカメラ、カメラ付き携帯電話、カメラ付きコンピュータ等の撮像装置にも適用することができる。
【０００９】
撮像部１０１は、シャッターボタンが全押し状態にされた場合、撮像素子（ＣＣＤイメージセンサー、ＣＭＯＳイメージセンサー等）によって受光された光を電気信号に変換し、その電気信号をデジタル化してデジタル画像を生成し、生成したデジタル画像を画像処理部１０２に供給する。
【００１０】
画像処理部１０２は、撮像部１０１からのデジタル画像に現像処理を施す。現像処理には、ホワイトバランスの調整、シャープネスの調整、コントラストの調整等が含まれる。また、画像処理部１０２は、現像処理後のデジタル画像の解像度等を変更する。現像処理に必要な現像パラメータはユーザによって設定可能である。
【００１１】
圧縮伸長部１０３は、画像処理部１０２で処理されたデジタル画像をJPEG、JPEG2000等の画像圧縮方法に従って圧縮する機能と、圧縮されたデジタル画像を伸長する機能とを有する。圧縮率は、ユーザによる設定が可能である。
【００１２】
システム制御部１０７は、不揮発性メモリ１０９内の制御プログラムに従ってデジタルカメラ１０を制御するマイクロコンピュータを有する。また、システム制御部１０７は、圧縮伸長部１０３で圧縮されたデジタル画像とそのデジタル画像の付加情報とを含む画像ファイルを生成し、生成した画像ファイルを内部メモリ１０４に格納する機能を有する。付加情報には、デジタル画像に関する情報、デジタルカメラ１０に関する情報、デジタル画像のサムネイル等が含まれる。内部メモリ１０４は、複数の画像ファイルを記憶する容量を有する。
【００１３】
また、システム制御部１０７は、デジタルカメラ１０を省電力状態にする機能を有する。ここで、デジタルカメラ１０が省電力状態である場合、システム制御部１０７は、デジタルカメラ１０の機能の一部をオフにしてバッテリの消費電力を削減する。
【００１４】
表示部１０５は、液晶表示器等の表示器を有し、その表示器に様々な情報を表示する。表示部１０５は、デジタルカメラ１０に関する情報を表示する機能と、撮影画像を表示する機能と、記憶媒体２０に保存された撮影画像を表示する機能等を有する。記憶媒体２０に保存された撮影画像を表示する場合にはそのデジタル画像に関する情報も表示することができる。また、表示部１０５は、設定メニュー等のグラフィカルユーザインターフェースを提供する機能を有する。
【００１５】
記憶媒体インターフェース１０６は、内部メモリ１０４に格納された画像ファイルを記憶媒体２０に書き込む機能と、記憶媒体２０に保存された画像ファイルを記憶媒体２０から読み出して内部メモリ１０４に書き込む機能とを有する。記憶媒体２０から読み出されて内部メモリ１０４に書き込まれた画像ファイル内の撮影画像は、システム制御部１０７によって表示部１０５に表示される。
【００１６】
操作部１０８は、デジタルカメラ１０を操作するためのユーザインターフェースであり、デジタルカメラ１０の電源をオン又はオフするための電源スイッチ、シャッターボタン、表示部１０５に設定メニューを表示するためのメニューボタン、表示部１０５に表示されたカーソルを上、下、左又は右に移動するための十字ボタン、カーソルが選択している画像、項目、値等をデジタルカメラ１０に設定又は選択させるためのＳＥＴボタン等を有する。シャッターボタンには、半押し状態と全押し状態とがある。シャッターボタンが半押し状態にされると、デジタルカメラ１０はＡＦ、ＡＥ等を実行し、シャッターボタンが全押し状態にされると、デジタルカメラ１０はデジタル画像の撮影を実行する。
【００１７】
不揮発性メモリ１０９には、デジタルカメラ１０を制御するための制御プログラム、デジタルカメラ１０に関する情報等が記憶されている。また、不揮発性メモリ１０９には、表示部１０５に表示される設定メニューに対応する画像データも記憶されている。
【００１８】
姿勢検知部１１０は、デジタルカメラ１０の姿勢を判定し、その判定結果をシステム制御部１０７に通知する。姿勢検知部１１０には、例えば、重力センサーを使用することができる。また、姿勢検知部１１０は、デジタルカメラ１０がＯＮにされている間及びデジタルカメラ１０が省電力状態である間、デジタルカメラ１０の姿勢を判定し続け、その判定結果をシステム制御部１０７に通知する。
【００１９】
記憶媒体２０は、メモリカード（不揮発性メモリを内蔵したカード状の記憶媒体）、ハードディスク装置等の記憶媒体であり、デジタルカメラ１０に装着することも、デジタルカメラ１０から取り外すこともできる。
【００２０】
図２は、デジタルカメラ１０の外観の一例を示す図である。電源ボタン２１は、デジタルカメラ１０の電源をＯＮ又はＯＦＦにするためのボタンである。モード切り替えスイッチ２２は、画像を撮影する撮影モード、メモリカード等の記憶媒体に再生されたデジタル画像（静止画、動画を含む）を表示する再生モード等の何れかを選択するためのスイッチである。
【００２１】
シャッターボタン２３は、ＡＦ、ＡＥ等の開始を指示する第１レリーズスイッチと、静止画又は動画の撮影の開始を指示する第２レリーズスイッチとを有するボタンである。第１レリーズスイッチは、シャッターボタン２３が半押しにされるとオンになり、第２レリーズスイッチはシャッターボタン２３が全押しにされるとオンになる。
【００２２】
メニューボタン２４は、デジタルカメラ１０の設定を変更するための設定メニューを表示部１０５に表示するためのボタンである。
【００２３】
十字ボタン２６は、表示部１０５に表示されたカーソルを上、下、右又は左に移動させるためのボタンである。
【００２４】
ＳＥＴボタン２７は、カーソルが選択している項目、画像、値等をデジタルカメラ１０に設定又は選択させるためのボタンである。
【００２５】
ディスプレイボタン２８は、表示部１０５をＯＮ又はＯＦＦにするためのボタンである。
【００２６】
三脚接続部２９は、三脚を接続するためのコネクタである。
【００２７】
第１の実施形態では、電源ボタン２１及びシャッターボタン２３をデジタルカメラ１０の上面に配置し、モード切り替えスイッチ２２、メニューボタン２４、表示部１０５、十字ボタン２６、ＳＥＴボタン２７及びディスプレイボタン２８をデジタルカメラ１０の背面に配置し、三脚接続部２９をデジタルカメラ１０の下面に配置する。
【００２８】
図３は、姿勢検知部１１０で判定される４つの姿勢を説明する図である。図３（ａ）に示すように、デジタルカメラ１０の上面（シャッターボタン２３がある面）を上方向に向け、下面（三脚接続部２９がある面）を下方向に向けたとき、姿勢検知部１１０はデジタルカメラ１０の姿勢が「姿勢１」であると判定する。
【００２９】
図３（ｂ）に示すように、デジタルカメラ１０の上面を左方向に傾け、下面を右方向に傾けたとき、姿勢検知部１１０はデジタルカメラ１０の姿勢が「姿勢２」であると判定する。
【００３０】
図３（ｃ）に示すように、デジタルカメラ１０の上面を右方向に傾け、下面を左方向に傾けたとき、姿勢検知部１１０はデジタルカメラ１０の姿勢が「姿勢３」であると判定する。
【００３１】
図３（ｄ）に示すように、デジタルカメラ１０の下面を上方向に向け、上面を下方向に向けたとき、姿勢検知部１１０はデジタルカメラ１０の姿勢が「姿勢４」であると判定する。
【００３２】
なお、姿勢１及び姿勢４は横位置であり、姿勢２及び姿勢３は縦位置である。また、姿勢４は姿勢１の上下（天地）を反転させた姿勢であり、姿勢３は姿勢２の上下（天地）を反転させた姿勢である。
【００３３】
図４は、デジタルカメラ１０で実行される処理の手順の一例を説明するためのフローチャートである。図４に示す処理は、システム制御部１０７がメモリ１０９内の制御プログラムに従ってデジタルカメラ１０を制御することによって実行される処理である。また、図４に示す処理は、設定メニューで姿勢変化機能をＯＮにしたときに実行される処理である。
【００３４】
ステップＳ４０１：システム制御部１０７は、姿勢検知部１１０での判定結果に応じてデジタルカメラ１０の姿勢が姿勢１から姿勢２に変化したか否かを判定する。デジタルカメラ１０の姿勢が姿勢１から姿勢２に変化したと判定した場合はステップＳ４０２に進む、それ以外の場合はステップＳ４０６に進む。
【００３５】
ステップＳ４０２：システム制御部１０７は、所定時間Ｔの計時を開始する。
【００３６】
ステップＳ４０３：システム制御部１０７は、所定時間Ｔが経過したか否かを判定する。所定時間Ｔがまだ経過していない場合はステップＳ４０４に進み、それ以外の場合はＳ４０１に戻る。
【００３７】
ステップＳ４０４：システム制御部１０７は、姿勢検知部１１０での判定結果に応じてデジタルカメラ１０の姿勢が姿勢２から姿勢１に戻ったか否かを判定する。つまり、システム制御部１０７は、所定時間Ｔが経過する前にデジタルカメラ１０の姿勢が元の姿勢に戻ったか否かを判定する。デジタルカメラ１０の姿勢が姿勢２から姿勢１に戻ったと判定した場合はステップＳ４０５に進む。それ以外の場合はステップＳ４０３に戻る。
【００３８】
ステップＳ４０５：システム制御部１０７は、次の１、４又は９コマの撮影画像を記憶媒体から読み出して表示部１０５に表示するように制御する。システム制御部１０７は、デジタルカメラ１０の現在の画像表示モードが１画像表示モードである場合には次の１コマの撮影画像を表示部１０５に表示し、デジタルカメラ１０の現在の画像表示モードが４画像表示モードである場合には次の４コマの撮影画像を表示部１０５に表示し、デジタルカメラ１０の現在の画像表示モードが９画像表示モードである場合には次の９コマの撮影画像を表示部１０５に表示するように制御する。例えば、図５に示すように、デジタルカメラ１０の現在の画像表示モードが１画像表示モードであり、所定時間Ｔが経過する前にデジタルカメラ１０の姿勢を姿勢２から姿勢１に戻された場合、次の１コマの撮影画像が表示部１０５に表示される。これにより、ユーザは、十字ボタン２６を操作しなくても、デジタルカメラ１０を所定の方向に一回振るだけで、次の１、４又は９コマの撮影画像を確認することができる。
【００３９】
ステップＳ４０６：システム制御部１０７は、姿勢検知部１１０での判定結果に応じてデジタルカメラ１０の姿勢が姿勢１から姿勢３に変化したか否かを判定する。デジタルカメラ１０の姿勢が姿勢１から姿勢３に変化したと判定した場合はステップＳ４０７に進み、それ以外の場合はステップＳ４０１に戻る。
【００４０】
ステップＳ４０７：システム制御部１０７は、所定時間Ｔの計時を開始する。
【００４１】
ステップＳ４０８：システム制御部１０７は、所定時間Ｔが経過したか否かを判定する。所定時間Ｔがまだ経過していない場合はステップＳ４０９に進み、それ以外の場合はステップＳ４０１に戻る。ここで、所定時間Ｔが経過した場合、システム制御部１０７は、デジタルカメラ１０が所定の方向に振られていないと判定する。
【００４２】
ステップＳ４０９：システム制御部１０７は、姿勢検知部１１０での判定結果に応じてデジタルカメラ１０の姿勢が姿勢３から姿勢１に戻ったか否かを判定する。つまり、システム制御部１０７は、所定時間Ｔが経過する前にデジタルカメラ１０の姿勢が元の姿勢に戻ったか否かを判定する。デジタルカメラ１０の姿勢が姿勢３から姿勢１に戻ったと判定した場合はステップＳ４１０に進む。それ以外の場合はステップＳ４０８に戻る。
【００４３】
ステップＳ４１０：システム制御部１０７は、前の１、４又は９コマの撮影画像を記憶媒体から読み出して表示部１０５に表示するように制御する。システム制御部１０７は、デジタルカメラ１０の現在の画像表示モードが１画像表示モードである場合には前の１コマの撮影画像を表示部１０５に表示し、デジタルカメラ１０の現在の画像表示モードが４画像表示モードである場合には前の４コマの撮影画像を表示部１０５に表示し、デジタルカメラ１０の現在の画像表示モードが９画像表示モードである場合には前の９コマの撮影画像を表示部１０５に表示するように制御する。これにより、ユーザは、十字ボタン２６を操作しなくても、デジタルカメラ１０を所定の方向に一回振るだけで、前の１、４又は９コマの撮影画像を確認することができる。
【００４４】
このように、第１の実施形態に係るデジタルカメラ１０によれば、デジタルカメラ１０を所定の方向に振る一回振るだけで次又は前の１、４又は９コマの撮影画像を表示部１０５に表示することができる。
【００４５】
なお、第１の実施形態は、ステップＳ４０１においてデジタルカメラ１０の姿勢が姿勢２から姿勢４に変化したか否かを判定し、ステップＳ４０４においてデジタルカメラ１０の姿勢が姿勢４から姿勢２に変化したか否かを判定するように構成することも可能である。同様に、ステップＳ４０６においてデジタルカメラ１０の姿勢が姿勢２から姿勢１に変化したか否かを判定し、ステップＳ４０９においてデジタルカメラ１０の姿勢が姿勢１から姿勢２に変化したか否かを判定するように構成することも可能である。
【００４６】
（第２の実施形態）
第２の実施形態は、第１の実施形態の一部を変更した実施形態である。従って、第１の実施形態と異なる部分のみを説明する。第２の実施形態に係るデジタルカメラ１０は、現在の時刻を含む画像（以下、時計表示画面）を表示する時計表示機能を有する。時計表示機能は、設定メニューでＯＮ又はＯＦＦにすることができる。
【００４７】
第２の実施形態では、第１の実施形態のステップＳ４０５及びＳ４１０は以下のように変更する。
【００４８】
ステップＳ４０５：システム制御部１０７は、時計表示機能がＯＮである場合、表示部１０５に表示されている時計表示画面を他の時計表示画面に変更する。例えば、図６に示すように、背景の色の異なる時計表示画面に変更する。これにより、ユーザは、メニューボタン２４、十字ボタン２６及びＳＥＴボタン２７を操作しなくても、デジタルカメラ１０を所定の方向に一回振るだけで、目的の時計表示画面を簡単に選択することができる。
【００４９】
ステップＳ４１０：ステップ４０５と同様の処理を行う。
【００５０】
このように、第２の実施形態に係るデジタルカメラ１０によれば、デジタルカメラ１０を所定の方向に振る一回振るだけで、目的の時計表示画面を簡単に選択することができる。また、時計表示画面のカラーバリエーションを楽しむこともできる。
【００５１】
（第３の実施形態）
第３の実施形態は、第１の実施形態の一部を変更した実施形態である。従って、第１の実施形態と異なる部分のみを説明する。第３の実施形態に係るデジタルカメラ１０は、ＤＰＯＦ（Digital Print Order Format）に準拠し、プリンタにダイレクトに撮影画像を送信するダイレクトプリント機能を有する装置である。
【００５２】
第３の実施形態では、第１の実施形態のステップＳ４０５及びＳ４１０は以下のように変更する。
【００５３】
ステップＳ４０５：システム制御部１０７は、図７（ａ）に示すように、表示部１０５に表示されている撮影画像の印刷枚数に１を加算する。これにより、ユーザは、メニューボタン２４、十字ボタン２６及びＳＥＴボタン２７を操作しなくても、デジタルカメラ１０を所定の方向に一回振るだけで、目的の撮影画像の印刷枚数を簡単に増やすことができる。
【００５４】
ステップＳ４１０：システム制御部１０７は、図７（ｂ）に示すように、表示部１０５に表示されている撮影画像の印刷枚数から１を減算する。これにより、ユーザは、メニューボタン２４、十字ボタン２６及びＳＥＴボタン２７を操作しなくても、デジタルカメラ１０を所定の方向に一回振るだけで、目的の撮影画像の印刷枚数を簡単に増やすことができる。
【００５５】
このように、第３の実施形態に係るデジタルカメラ１０によれば、デジタルカメラ１０を所定の方向に振る一回振るだけで、目的の撮影画像の印刷枚数等を簡単に選択することができる。
【００５６】
なお、第３の実施形態は、目的の撮影画像の印刷枚数を変更したが、印刷用紙を変更できるように構成してもよい。
【００５７】
（第４の実施形態）
第４の実施形態は、第１の実施形態の一部を変更した実施形態である。従って、第１の実施形態と異なる部分のみを説明する。
【００５８】
第４の実施形態では、第１の実施形態のステップＳ４０５及びＳ４１０は以下のように変更する。
【００５９】
ステップＳ４０５：システム制御部１０７は、現在の画像表示モードが１画像表示モードである場合には４画像表示モードに変更し、現在の画像表示モードが４画像表示モードである場合には９画像表示モードに変更し、現在の画像表示モードが９画像表示モードである場合には１画像表示モードに変更する。これにより、ユーザは、メニューボタン２４、十字ボタン２６及びＳＥＴボタン２７を操作しなくても、デジタルカメラ１０を所定の方向に一回振るだけで、画像表示モードを順方向に切り替えることができる。
【００６０】
ステップＳ４１０：システム制御部１０７は、システム制御部１０７は、現在の画像表示モードが１画像表示モードである場合には９画像表示モードに変更し、現在の画像表示モードが４画像表示モードである場合には１画像表示モードに変更し、現在の画像表示モードが９画像表示モードである場合には４画像表示モードに変更する。これにより、ユーザは、メニューボタン２４、十字ボタン２６及びＳＥＴボタン２７を操作しなくても、デジタルカメラ１０を所定の方向に一回振るだけで、画像表示モードを逆方向に切り替えることができる。
【００６１】
このように、第４の実施形態に係るデジタルカメラ１０によれば、デジタルカメラ１０を所定の方向に振る一回振るだけで、画像表示モードを順又は逆方向に切り替えることができる。
【００６２】
なお、第４の実施形態は、スポーツモード、ポートレートモード等の撮影モードの順又は逆方向に切り替える構成にも適用することもできる。また、例えば、１コマの静止画像を撮影する１コマ撮影モード、複数コマの静止画像を撮影する低速撮影モード、低速撮影モードよりも高速な高速撮影モード、動画像を撮影する動画撮影モードの何れかを順又は逆方向に切り替える構成にも適用することもできる。
【００６３】
（第５の実施形態）
第５の実施形態は、第１の実施形態の一部を変更した実施形態である。従って、第１の実施形態と異なる部分のみを説明する。
【００６４】
第５の実施形態では、第１の実施形態のステップＳ４０５及びＳ４１０は以下のように変更する。
【００６５】
ステップＳ４０５：システム制御部１０７は、現在表示部１０５に表示されている撮影画像又は現在カーソルが選択している撮影画像を記憶媒体から消去する。これにより、ユーザは、メニューボタン２４、十字ボタン２６及びＳＥＴボタン２７を操作しなくても、デジタルカメラ１０を所定の方向に一回振るだけで、目的の画像を消去することができる。
【００６６】
ステップＳ４１０：ステップ４０５と同様の処理を行う。
【００６７】
このように、第５の実施形態に係るデジタルカメラ１０によれば、デジタルカメラ１０を所定の方向に振る一回振るだけで、目的の撮影画像を記憶媒体から消去することができる。
【００６８】
（第６の実施形態）
第６の実施形態は、第１の実施形態の一部を変更した実施形態である。従って、第１の実施形態と異なる部分のみを説明する。
【００６９】
第６の実施形態では、第１の実施形態のステップＳ４０５及びＳ４１０は以下のように変更する。
【００７０】
ステップＳ４０５：デジタルカメラ１０の画像表示モードが１画像表示モードである場合、システム制御部１０７は、画像表示モードを拡大表示モードに変更し、現在表示部１０５に表示されている撮影画像の所定の部分を拡大して表示部１０５に表示する。一方、デジタルカメラ１０の画像表示モードが拡大表示モードである場合、システム制御部１０７は、画像表示モードを１画像表示モードに変更し、現在表示部１０５に表示されている撮影画像の全部を表示部１０５に表示する。これにより、ユーザは、メニューボタン２４、十字ボタン２６及びＳＥＴボタン２７を操作しなくても、デジタルカメラ１０を所定の方向に一回振るだけで、目的の画像の所定の部分又は全部を確認することができる。
【００７１】
ステップＳ４１０：ステップ４０５と同様の処理を行う。
【００７２】
このように、第６の実施形態に係るデジタルカメラ１０によれば、デジタルカメラ１０を所定の方向に振る一回振るだけで、目的の画像の所定の部分又は全部を確認することができる。
【００７３】
（第７の実施形態）
第７の実施形態は、第１の実施形態の一部を変更した実施形態である。従って、第１の実施形態と異なる部分のみを説明する。
【００７４】
第７の実施形態では、第１の実施形態のステップＳ４０５及びＳ４１０は以下のように変更する。
【００７５】
ステップＳ４０５：システム制御部１０７は、解像度、画質、ＩＳＯ感度、ホワイトバランス、色空間、現像パラメータの少なくとも一つを現在の値から他の値に変更する。これにより、ユーザは、メニューボタン２４、十字ボタン２６及びＳＥＴボタン２７を操作しなくても、デジタルカメラ１０を所定の方向に一回振るだけで、解像度、画質、ＩＳＯ感度、ホワイトバランス、色空間、現像パラメータの少なくとも一つを現在の値から目的の値に変更することができる。
【００７６】
ステップＳ４１０：ステップ４０５と同様の処理を行う。
【００７７】
このように、第７の実施形態に係るデジタルカメラ１０によれば、デジタルカメラ１０を所定の方向に振る一回振るだけで、解像度、画質、ＩＳＯ感度、ホワイトバランス、色空間、現像パラメータの少なくとも一つを現在の値から目的の値に変更することができる。
【００７８】
（第８の実施形態）
第８の実施形態は、第１の実施形態の一部を変更した実施形態である。従って、第１の実施形態と異なる部分のみを説明する。
【００７９】
第８の実施形態では、第１の実施形態のステップＳ４０５及びＳ４１０は以下のように変更する。
【００８０】
ステップＳ４０５：システム制御部１０７は、起動音、シャッター音、操作音、セルフタイマー音、起動画面の少なくとも一つを現在のデータから他のデータに変更する。ここで、起動音はデジタルカメラ１０が起動するときにスピーカから出力される音であり、シャッター音はシャッターをレリーズするときにスピーカから出力される音であり、操作音はボタン等を操作したときにスピーカから出力される音であり、セルフタイマー音はセルフタイマー撮影時にスピーカから出力される音であり、起動画面はデジタルカメラ１０が起動するときに表示部１０５に表示される画像である。これにより、ユーザは、メニューボタン２４、十字ボタン２６及びＳＥＴボタン２７を操作しなくても、デジタルカメラ１０を所定の方向に一回振るだけで、起動音、シャッター音、操作音、セルフタイマー音、起動画面の少なくとも一つを現在のデータから目的のデータに変更することができる。
【００８１】
ステップＳ４１０：ステップ４０５と同様の処理を行う。
【００８２】
このように、第８の実施形態に係るデジタルカメラ１０によれば、デジタルカメラ１０を所定の方向に振る一回振るだけで、起動音、シャッター音、操作音、セルフタイマー音、起動画面の少なくとも一つを現在のデータから目的のデータに変更することができる。
【００８３】
（第９の実施形態）
第９の実施形態は、第１の実施形態の一部を変更した実施形態である。従って、第１の実施形態と異なる部分のみを説明する。
【００８４】
第９の実施形態では、第１の実施形態のステップＳ４０５及びＳ４１０は以下のように変更する。
【００８５】
ステップＳ４０５：システム制御部１０７は、デジタルカメラ１０の電源をＯＦＦにする。これにより、ユーザは、電源スイッチ２１を操作しなくても、デジタルカメラ１０を所定の方向に一回振るだけで、デジタルカメラ１０の電源をＯＦＦにすることができる。
【００８６】
ステップＳ４１０：ステップ４０５と同様の処理を行う。
【００８７】
このように、第９の実施形態に係るデジタルカメラ１０によれば、デジタルカメラ１０を所定の方向に振る一回振るだけで、デジタルカメラ１０の電源をＯＦＦにすることができる。
【００８８】
（第１０の実施形態）
第１０の実施形態は、第１の実施形態の一部を変更した実施形態である。従って、第１の実施形態と異なる部分のみを説明する。
【００８９】
第１０の実施形態では、第１の実施形態のステップＳ４０５及びＳ４１０は以下のように変更する。
【００９０】
ステップＳ４０５：システム制御部１０７は、デジタルカメラ１０が省電力状態である場合は電源をＯＮにする。これにより、ユーザは、電源スイッチ２１等を操作しなくても、デジタルカメラ１０を所定の方向に一回振るだけで、デジタルカメラ１０の電源をＯＮにすることができる。
【００９１】
ステップＳ４１０：ステップ４０５と同様の処理を行う。
【００９２】
このように、第１０の実施形態に係るデジタルカメラ１０によれば、デジタルカメラ１０を所定の方向に振る一回振るだけで、デジタルカメラ１０の電源をＯＮにすることができる。
【００９３】
（第１１の実施形態）
上記の第１乃至第１０の実施形態は、様々な組み合わせで実現することができる。例えば，第１乃至第１０の実施形態に係る機能を全て備えた場合、デジタルカメラ１０は、設定メニューで第１乃至第１０の実施形態に係る機能の何れか一つをＯＮ又はＯＦＦにすればよい。
【００９４】
（他の実施形態）
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００９５】
この場合、記憶媒体から読み出されたプログラムコード自体が上述した実施形態の機能を実現することになり、プログラムコード自体及びそのプログラムコードを記憶した記憶媒体は本発明を構成することになる。
【００９６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００９７】
また、コンピュータが読み出したプログラムコードを実行することにより、上述した実施形態の機能が実現されるだけでなく、そのプログラムコードの指示に基づき、コンピュータ上で稼動しているＯＳ(基本システム或いはオペレーティングシステム)等が実際の処理の一部又は全部を行い、その処理によって上述した実施形態の機能が実現される場合も含まれることは言うまでもない。
【００９８】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００９９】
【図１】本発明の第１の実施形態に係るデジタルカメラの構成の一例を示す図である。
【図２】本発明の第１の実施形態に係るデジタルカメラの外観の一例を示す図である。
【図３】図１のデジタルカメラによって判定される４つの姿勢を示す図である。
【図４】本発明の第１の実施形態に係るデジタルカメラで実行される処理の手順の一例を説明するためのフローチャートである。
【図５】撮影画像の変化の一例を示す図である。
【図６】時計表示画面の変化の一例を示す図である。
【図７】印刷枚数の変化の一例を示す図である。
【符号の説明】
【０１００】
１０    デジタルカメラ
２０    記憶媒体
１０１  撮像部
１０２  画像処理部
１０３  圧縮伸長部
１０４  内部メモリ
１０５  表示部
１０６  記憶媒体インターフェース
１０７  システム制御部
１０８  操作部
１０９  不揮発性メモリ
１１０  姿勢検知部
【図１】
2006087049.tif 000003
【図２】
2006087049.tif 000004
【図３】
2006087049.tif 000005
【図４】
2006087049.tif 000006
【図５】
2006087049.tif 000007
【図６】
2006087049.tif 000008
【図７】
2006087049.tif 000009